(57)【要約】【課題】  つる草などの茎類の草の刈払機の回転軸への巻き付きを防止できる草刈刃を提供する。【解決手段】  円盤状の基体１１の外周に形成された鋸刃１２を備える草刈刃１０において、基体１１の主面１１ａ上の半径方向の外周から１／３近傍の位置に、草刈刃１０の回転方向に面する部位に巻き付き防止のための巻き付き防止刃１５が設けられた複数の突出部１４が立設させる。【選択図】  図２
2005110531.tif 000002
【特許請求の範囲】
【請求項１】
円盤状の回転体の外周に形成された外周刃を備える草刈刃であって、
上記回転体の主面上の半径方向の外周から上記回転体の半径の１／３近傍の位置に、上記草刈刃の回転方向に面する部位に巻き付き防止刃部が形成された複数の突出部が設けられたこと
を特徴とする草刈刃。
【請求項２】
上記突出部は上記回転体の主面上の同一円周上に８箇所等間隔に、上記回転体の面に対しほぼ垂直に立設されていること
を特徴とする請求項１記載の草刈刃。
【請求項３】
円盤状の回転体の外周に形成された外周刃を備える草刈刃に、上記回転体の主面上の半径方向の外周から上記回転体の半径の１／３近傍の位置に、上記草刈刃の回転方向に面する部位に巻き付き防止刃部が形成された複数の突出部が設けられたことを特徴とする草刈刃の少なくとも上記外周刃と上記巻き付き防止刃部を覆う草刈刃ケースであって、
上記外周刃を覆う断面が略コ字状の２つの左ケースと右ケースと、
上記左ケースと上記右ケースのそれぞれの一端をつなぐ軸が上記回転体の面に対して垂直方向であるヒンジ部と、
上記左ケースと上記右ケースの上記ヒンジ部が設けられていない他端を着脱自在な止め具とを有し、
上記草刈刃ケースは、上記止め具を装着したときに略ドーナツ型の形状をし、上記左ケース及び上記右ケースには、上記突出部の端縁を覆う突出部カバーが設けられていること
を特徴とする草刈刃ケース。
【発明の詳細な説明】
【技術分野】
【０００１】
本発明は、雑草などを刈る刈払機に用いられる草刈刃に関し、特につる草などの刈払機への巻き込みを防止する草刈刃に関する。
【背景技術】
【０００２】
従来、草刈を行う際用いられていた機械には、本体を支えるためのバンドを肩に掛けて、柄杵の先端に取り付けられ高速に回転する円盤状の草刈刃を、目的とする草に当てることにより草刈作業を行う刈払機があった。このような刈払機は、起伏の激しい土地や狭い箇所など土地の形状にとらわれず、草刈作業を行うことができる。
【０００３】
しかしながら、このような刈払機は、つる草などの茎類の草が回転軸に巻き付いたり、絡まり、エンジンに負荷がかかることにより草刈機能を低下させたり、草刈刃の回転を停止させるような場合があった。このような事態に陥ると、巻き付いたつる草を取り払う必要があるが、エンジンを停止させずに取り払う作業を行うのは非常に危険である。また、一旦エンジンを停止させての作業は大変煩雑である。そこで、つる草などの茎類の草が巻き付かないような構造を持った草刈刃が提案されている（特許文献１参照。）。
【０００４】
【特許文献１】登録実用新案第３０５１２４０号公報
【発明の開示】
【発明が解決しようとする課題】
【０００５】
ところで、上述のような刈払機は、人が本体を持って、草の刈る高さに草刈刃を這わせないといけない。そのとき、草刈刃を含めた本体の重量が重いと、人に負担がかかってしまう。また、草刈刃には複数の刃が外周に設けられていることから、作業を行わないときや草刈刃の交換の際には大変危険なものである。
【０００６】
本発明は、このような従来の実情に鑑みて提案されたものであり、草刈刃を軽量化し、なおかつ、つる草などの茎類の草の巻き付きを防止することによって、草刈作業を円滑に進めることができる草刈刃を提供することを目的とする。
【０００７】
また、本発明の他の目的は、草刈作業をしないときや草刈刃の交換作業を行うときに複数の刃によって思わぬ怪我をしないような安全な草刈刃ケースを提供することである。
【課題を解決するための手段】
【０００８】
上述した目的を達成するために、本発明に係る草刈刃は、円盤状の回転体の外周に形成された外周刃を備える回転草刈刃であって、上記回転体の面上の半径方向の外周から１／３近傍の位置に、上記草刈刃の回転方向に面する部位に巻き付き防止のための巻き付き防止刃部が設けられた複数の突出部が立設されたことを特徴とする。
【０００９】
また、上述した他の目的を達成するために、本発明に係る草刈刃を覆う草刈刃ケースは、円盤状の回転体の外周に形成された外周刃を備える回転草刈刃に、上記回転体の面上の半径方向の外周から１／３近傍の位置に、上記草刈刃の回転方向に面する部位に巻き付き防止をするための巻き付き防止刃部が設けられた複数の突出部が立設されたことを特徴とする草刈刃の少なくとも上記外周刃と上記巻き付き防止刃部を覆う草刈刃ケースであって、上記草刈刃ケースは、上記外周刃を覆う断面が略コ字状の２つの左ケースと右ケースと、上記左ケースと上記右ケースのそれぞれの一端をつなぐ軸が上記回転体の面に対して垂直方向であるヒンジ部と、上記左ケースと上記右ケースの上記ヒンジ部が設けられていない他端を取り付け取り外しができる止め具とを有し、上記草刈刃ケースは、上記止め具を止めたときに略ドーナツ型の形状をし、上記左ケースと上記右ケースとには、上記突出部の端縁を覆う突出部カバーが立設されていることを特徴とする。
【発明の効果】
【００１０】
本発明に係る草刈刃は、円盤状の回転体の外周に形成された外周刃を備える回転草刈刃であって、上記回転体の面上の半径方向の外周から１／３近傍の位置に、上記草刈刃の回転方向に面する部位に巻き付き防止のための巻き付き防止刃部が設けられた複数の突出部が立設されたことを特徴とする。そのため、つる草などの茎類の草の回転軸等への巻き付きを防止することができ、巻き付きによるエンジン停止や、巻き付いた草の取り除き作業などを防止でき、円滑な作業を行うことができる。
【００１１】
また、本発明に係る草刈刃を覆う草刈刃ケースは、円盤状の回転体の外周に形成された外周刃を備える回転草刈刃に、上記回転体の面上の半径方向の外周から１／３近傍の位置に、上記草刈刃の回転方向に面する部位に巻き付き防止をするための巻き付き防止刃部が設けられた複数の突出部が立設されたことを特徴とする草刈刃の少なくとも上記外周刃と上記巻き付き防止刃部を覆う草刈刃ケースであって、上記草刈刃ケースは、上記外周刃を覆う断面が略コ字状の２つの左ケースと右ケースと、上記左ケースと上記右ケースのそれぞれの一端をつなぐ軸が上記回転体の面に対して垂直方向であるヒンジ部と、上記左ケースと上記右ケースの上記ヒンジ部が設けられていない他端を取り付け取り外しができる止め具とを有し、上記草刈刃ケースは、上記止め具を止めたときに略ドーナツ型の形状をし、上記左ケースと上記右ケースとには、上記突出部の端縁を覆う突出部カバーが立設されていることを特徴とする。草刈刃ケースは、外周刃を回転体の左右から挟むような形で取り付けるので、刈払機に装着されている状態においても、草刈刃ケースを草刈刃に取り付けることが可能となり、草刈刃の刈払機からの取り外し作業も安全に行うことができる。また、左ケースと右ケースとに突出部カバーが立設されており、草刈刃ケースを草刈刃に取り付けたときと同時に突出部カバーが突出部を覆うので、簡単に、なおかつ、突出部に触れることなく安全に取り付けることが可能となる。
【発明を実施するための最良の形態】
【００１２】
以下、本発明を実施するための最良の形態として示す草刈刃について図面を用いて詳細に説明する。
【００１３】
草刈刃１０は、図１に示すように、刈払機１に取り付けられて使用される。刈払機１は、ユーザが本体を支えたり操作するためのハンドル部２と、草刈刃１０を回転させるためのエンジン３と、エンジン３からの動力を草刈刃１０に伝えるための伝動軸４と、筒状に成形されて伝動軸４が筒内を通るシャフト５と、シャフト５の先端に伝動軸４の動力を草刈刃１０に伝えるギア部６と、草刈刃１０近傍のシャフト５に石などの飛散を防ぐ飛散防止カバー７とから構成されている。
【００１４】
草刈刃１０は、図２に示すように、円盤状の基体１１と、基体１１の外周に多数設けられた鋸刃１２と、基体１１の中心に刈払機１に装着させるための装着孔１３と、基体１１の主面１１ａ上に基体１１を切り起こすことによって成形された突出部１４と、突出部１４に設けられた巻き付き防止刃１５とから構成されている。
【００１５】
基体１１は、板状の鋼などを円盤状に成形したもので、その基体１１の中心に刈払機１に装着するための装着孔１３が設けられている。基体１１は、刈払機１に装着できるものであり、草刈作業が効率よく行えるものであればよく、その直径は２５５ｍｍ又は２３０ｍｍのものが好ましい。
【００１６】
突出部１４は、基体１１の主面１１ａに、同一円周軌道上で等間隔に８箇所設けられている。突出部１４は、基体１１の半径方向の外周からほぼ３分の１の位置に基体１１を略コ字状に切込み加工し、その部位を刈払機１に装着したときに上向きに突出するように、基体１１の主面１１ａに対してほぼ垂直に折り曲げられている。また、突出部１４を切り起こすことによってできる基体１１の切起こし孔１６は、突出部１４より装着孔１３側に成形されている。突出部１４は、切り起こされた突出部１４の端縁のうち、草刈刃１０の回転方向（図２の矢印Ａ）に面する部分に、巻き付き防止刃１５が設けられている。
【００１７】
突出部１４は、つる草などの茎類の草の巻き付き防止効果が最も得られる形状であればよく、その主面１１ａからの高さは、刈払機１の回転軸に装着したときにギア部６やシャフト５と接触しないような高さで、例えば、１５〜１６ｍｍ程度のものが好ましい。また、突出部１４は、突出部１４の基体１１との折り曲げ部１７の幅が１７〜１８ｍｍ程度で、突出部１４の上端部１８は、巻き付き防止刃１５によってつる草などが抵抗なく切れるように主面１１ａに対して巻き付き防止刃１５がある程度傾けられているために、幅が１０ｍｍ程度にするのが好ましい。また、突出部１４は、同一円周軌道上で等間隔に複数箇所設けたものであればよいが、その数が少なすぎるとあまり効果を得られず、多すぎても製造コストの増加の割には効果が得られず、８箇所とするのが好ましい。さらに、突出部１４は、基体１１上に立設されていればよいが、基体１１の半径方向の外周からほぼ３分の１の位置より外周側に設けると、突出部１４の主面１１ａからの高さを高くしなければ十分な効果が得られず、それは草刈刃１０の強度低下につながり、基体１１の半径方向の外周からほぼ３分の１の位置より内側に設けると、突出部１４の主面１１ａからの十分な高さを確保できないため効果が得られず、基体１１の半径方向の外周からほぼ３分の１の位置に設けるのが好ましい。
【００１８】
図３に示すように、巻き付き防止刃１５は、突出部１４の端縁のうち、草刈刃１０の回転方向に面する部分に設けられている。巻き付き防止刃１５は、その刃がつる草などの茎類の草が回転軸に巻き付かないように切れるものであればよく、基体１１の半径方向のうち内周側に形成されたいわゆる片刃である。また、巻き付き防止刃１５は、その刃の刃先角が大きすぎて切削抵抗が増して切れ味が低下しない程度であり、逆に、刃先角を鋭くして切削抵抗を減らし刃先が欠け易くならない程度のものであればよく、その刃先角が３０°程度のものが好ましい。また、図３においては、巻き付き防止刃１５が、基体１１の半径方向のうち内周側に形成された片刃の例を示したが、これに限らず、折り曲げ部１７付近の強度を十分保つことができるものであれば、両刃であっても、基体１１の半径方向のうち外周側に形成された片刃であってもよい。
【００１９】
切起こし孔１６は、基体１１を切り込み加工し折り曲げ部１７で折り曲げて突出部１４ができることによって、空いた孔である。切起こし孔１６は、突出部１４を切起こすことによってできる孔のため、突出部１４と同様な形状であり、切起こし孔１６を設けることによって、草刈刃１０の軽量化と、草刈刃１０にかかる衝撃を緩衝することが可能である。
【００２０】
なお、切起こし孔１６は上述に限らず、草刈刃１０の強度が低下しない程度に軽量化したものでよく、突出部１４よりも大きく、衝撃を均一に緩衝できるように、切起こし孔１６の角部に丸みを持たせるようにしても良い。
【００２１】
次に草刈刃１０を用いてつる草などの茎類の草が回転軸に巻き付くのを防止する様子を説明する。草刈刃１０は、図４に示すように、刈払機１のギア部６で軸支されて下方に突出した回転軸８に、図示しないボルトなどで締め付けて装着されている。
【００２２】
ユーザにより、刈払機１のエンジン３が始動されると、伝動軸４とギア部６を介して回転軸８が回転し、草刈刃１０も回転する。ユーザは、ハンドル２を用いて、回転する草刈刃１０の鋸刃１２に草刈を行う草をあてることによって草刈作業を行うことが可能となる。また、鬱蒼と生える草や、長く伸びてつる状になっている茎類などの草が、過って回転軸８や、ギア部６に巻き付きそうになった場合でも、突出部１４に設けられた巻き付き防止刃１５によって短く切断され、巻き付くことを防止することができる。
【００２３】
次に草刈作業を行っていないときや、草刈刃１０の交換を行うときに、ユーザが鋸刃１２や巻き付き防止刃１５によって怪我をしないための草刈刃１０の刃を覆うケースについて説明をする。
【００２４】
草刈刃１０の鋸刃１２と巻き付き防止刃１５とを覆う草刈刃ケース５０は、図５に示すように、右ケース５０Ｒと、左ケース５０Ｌと、右ケース５０Ｒと左ケース５０Ｌとのそれぞれの一端をつなぐヒンジ部５１と、右ケース５０Ｒのヒンジ部５１が取り付けられていない他端に設けられた止め具５２と、左ケース５０Ｌのヒンジ部５１が取り付けられていない他端に設けられた突起部５３と、右ケース５０Ｒ及び左ケース５０Ｌに設けられた突出部１４を覆う突出部カバー５４とから構成されている。
【００２５】
右ケース５０Ｒ及び左ケース５０Ｌは、ポリプロピレンなどの材料からできており、それぞれ断面が略コ字状で略ドーナツ型の半分の形状をしており、図６に示すように、草刈刃１０に取り付けたときに、鋸刃１２を覆う略ドーナツ型になるように構成されている。
【００２６】
右ケース５０Ｒは、略ドーナツ型の半分の形状をした右上面部５５Ｒと、右上面部５５Ｒより半径方向内側にほぼ１ｃｍ広く設けられた右下面部５６Ｒと、右上面部５５Ｒと右下面部５６Ｒとの外周側に沿う基体１１の厚みよりも大きい高さの右外周面部５７Ｒとによって、断面が略コ字状になるように構成されている。
【００２７】
左ケース５０Ｌは、略ドーナツ型の半分の形状をした左上面部５５Ｌと、左上面部５５Ｌより半径方向内側にほぼ１ｃｍ広く設けられた左下面部５６Ｌと、左上面部５５Ｌと左下面部５６Ｌとの外周側に沿う基体１１の厚みよりも大きい高さの左外周面部５７Ｌとによって、断面が略コ字状になるように構成されている。
【００２８】
右上面部５５Ｒと右下面部５６Ｒと左上面部５５Ｌと左下面部５６Ｌとには、それぞれを二等分する位置に半径方向と平行になる切り込み部Ａが内周側より設けられている。この切り込み部Ａは、材料ヒンジ、すなわち切り込み部Ａの外周側にある部材がヒンジの役目をするように構成されている。これは、後述する突出部カバー５４を、草刈刃１０の突出部１４を覆うように嵌める際に、より嵌めやすいように設けられた部位である。なお、切り込み部Ａは、上述のように右上面部５５Ｒと右下面部５６Ｒと左上面部５５Ｌと左下面部５６Ｌとの４つの部材に設けることに限らず、右下面部５６Ｒと左下面部５６Ｌとの２箇所にだけ設けるようにしてもよい。また、右下面部５６Ｒと左下面部５６Ｌとが、右上面部５５Ｒと左上面部５５Ｌと比較して内周側に大きな面積になっているのは、鋸刃１２を右ケース５０Ｒ及び左ケース５０Ｌで覆うときに、鋸刃１２が右上面部５５Ｒと右下面部５６Ｒとの間と、左上面部５５Ｌと左下面部５６Ｌとの間に簡単に入り込めるような案内役をしている。
【００２９】
ヒンジ部５１は、右ケース５０Ｒと左ケース５０Ｌのそれぞれの一端をつなぐ部材であり、そのヒンジの軸が右上面部５５Ｒや左上面部５５Ｌに対して垂直になるような方向に取り付けられている。
【００３０】
止め具５２は、右外周面部５７Ｒのヒンジ部５１が取り付けられていない他端に取り付けられており、短冊状の接合片５８と、接合片５８に設けられた接合孔５９とから構成されている。
【００３１】
突起部５３は、左外周面部５７Ｌのヒンジ部５１が取り付けられていない他端に取り付けられており、先端が接合孔５９とほぼ同様の径を持つ略球状の突出部から構成されている。
【００３２】
止め具５２と突起部５３とは、突起部５３を接合片５８に設けられた接合孔５９に嵌通することによって係合される。なお、止め具５２及び突起部５３は、上述に限らず、右ケース５０Ｒ及び左ケース５０Ｌを着脱できる機構のものであればよい。
【００３３】
突出部カバー５４は、突出部１４とほぼ同様の形状をしており、内周側に面する面が開放されており、その大きさが突出部１４を覆うことができる大きさである。また、突出部カバー５４は、右上面部５５Ｒと左上面部５５Ｌに突出部１４を覆うことができる位置に、突出部１４と同数だけ取り付けられている。
【００３４】
次に、草刈刃ケース５０が、草刈刃１０に取り付けられる様子について、図面を用いて説明する。図５に示すように、草刈刃ケース５０は、止め具５２と突起部５３とが、ヒンジ部５１を中心にして、離れるように開いている。この状態において、草刈刃１０の鋸刃１２を覆うように、右上面部５５Ｒと右下面部５６Ｒとの間と、左上面部５５Ｌと左下面部５６Ｌとの間とに鋸刃１２を差し込む。次に、右ケース５０Ｒと左ケース５０Ｌとが、略ドーナツ型の形状になるように、また、草刈刃１０の全ての鋸刃１２が覆い隠されるように、右上面部５５Ｒと右下面部５６Ｒとの間と、左上面部５５Ｌと左下面部５６Ｌとの間とに差し込む。また、鋸刃１２の全てが覆い隠されるようにすると同時に、突出部カバー５４に突出部１４が嵌まるようにする。最後に、図６に示すように、全ての鋸刃１２と突出部１４の巻き付き防止刃１５が覆われていると、止め具５２の接合孔５９に突起部５３を嵌通させて係合することによって、草刈刃ケース５０を草刈刃１０に取り付けることが可能となる。
【００３５】
なお、上述のように、右ケース５０Ｒと左ケース５０Ｌとはポリプロピレンなどの材料からなることに限らず、例えば、ポリアミノトリアゾールなどの丈夫である程度の弾性を有するものであればよい。
【００３６】
また、上述のように、草刈刃１０に設けられた突出部１４は同一円周上に設けられたものに限らず、例えば、図７に示すように、同一円周上に突出部が設けられていない場合であってもよい。
【００３７】
草刈刃２０は、図７に示すように、円盤状の基体１１と、基体１１の外周に多数設けられた鋸刃１２と、基体１１の中心に刈払機１に装着させるための装着孔１３と、基体１１の主面１１ａ上に基体１１を切り起こすことによって成形された突出部１４ａ、１４ｂと、突出部１４ａ、１４ｂに設けられた巻き付き防止刃１５とから構成されている。なお、草刈刃１０と同様な構成のものには同じ符号を付し、その説明を省略する。
【００３８】
突出部１４ａ、１４ｂは、突出部１４と同様の形状をしているが、基体１１の半径方向において２つの異なる位置に設けられている。つまり、８箇所に設けられた突出部１４ａ、１４ｂは、装着孔１３に近い位置に設けられた突出部１４ａと、突出部１４ａより鋸刃１２に近い位置に設けられた突出部１４ｂとの２種類の突出部が互い違いに設けられている。このようにすれば、草刈刃２０の基体１１上のあらゆる位置においてつる草などの茎類の草の回転軸への巻き付きを防止することができる。
【００３９】
また、草刈刃１０に設けられた突出部１４は、上述したように基体１１に対してほぼ垂直に突出した状態に設けられたものに限らず、図８に示すように、突出部を半起こしの状態や、ほぼ折り返した状態の突出部を組み合わせたものであってもよい。
【００４０】
草刈刃３０は、図８に示すように、円盤状の基体１１と、基体１１の外周に多数設けられた鋸刃１２と、基体１１の中心に刈払機１に装着させるための装着孔１３と、基体１１の主面１１ａ上に基体１１を切り起こすことによって成形された突出部１４ｄ、１４ｅ、１４ｆと、突出部１４ｄ、１４ｅ、１４ｆに設けられた巻き付き防止刃１５とから構成されている。なお、草刈刃１０と同様な構成のものには同じ符号を付し、その説明を省略する。
【００４１】
突出部１４ｄ、１４ｅ、１４ｆは、突出部１４と同様の形状をしているが、基体１１の主面１１ａに対して切り起こされる状態が３つの異なる状態に設けられている。つまり、８箇所に設けられた突出部１４ｄ、１４ｅ、１４ｆは、切り起こされた突出部が半起こしの状態の突出部１４ｄと、切り起こされた突出部がほぼ垂直な状態の突出部１４ｅと、切り起こされた突出部がほぼ折り返された状態の突出部１４ｆとの３種類の突出部が設けられている。このようにすれば、草刈刃３０の基体１１上のあらゆる位置においてつる草などの茎類の草の回転軸への巻き付きを防止することができる。
【００４２】
なお、本発明は上述した実施の形態のみに限定されるものではなく、本発明の要旨を逸脱しない範囲において種々の変更が可能であることは勿論である。
【００４３】
例えば、草刈刃１０、２０、３０は基体１１を切り起こした突出部の説明をしたが、それに限らず、基体に孔をあけて突出部をボルトなどで固定するようにしてもよい。
【図面の簡単な説明】
【００４４】
【図１】本発明に係る草刈刃を刈払機に装着した様子を示した図である。
【図２】本発明に係る草刈刃の斜視図である。
【図３】本発明に係る草刈刃の突出部を示した図である。
【図４】本発明に係る草刈刃を刈払機に装着した状態を示す要部斜視図である。
【図５】本発明に係る草刈刃を覆う草刈刃ケースを示した図である。
【図６】本発明に係る草刈刃を覆う草刈刃ケースを草刈刃に取り付けた様子を示した図である。
【図７】本発明に係る草刈刃の第２の実施の形態を示した斜視図である。
【図８】本発明に係る草刈刃の第３の実施の形態を示した斜視図である。
【符号の説明】
【００４５】
１  刈払機、２  ハンドル、３  エンジン、４  伝動軸、５  シャフト、６  ギア部、７  飛散防止カバー、８  回転軸、１０  草刈刃、１１  基体、１２  鋸刃、１３  装着孔、１４  突出部、１５  巻き付き防止刃、１６  切起こし孔、１７  折り曲げ部、１８  上端部、５０  草刈刃ケース、５１  ヒンジ部、５２  止め具、５３  突起部、５４  突出部カバー
【図１】
2005110531.tif 000003
【図２】
2005110531.tif 000004
【図３】
2005110531.tif 000005
【図４】
2005110531.tif 000006
【図５】
2005110531.tif 000007
【図６】
2005110531.tif 000008
【図７】
2005110531.tif 000009
【図８】
2005110531.tif 000010